(57)【特許請求の範囲】
【請求項１】
内部に空気の流通する通路を有した空調ケースと、該空気を冷却する冷却器と、前記空気を加熱する加熱器と、前記冷却器の下流側に形成され前記加熱器の配置される温風通路と、前記冷却器の下流側に形成され前記加熱器を迂回する冷風通路と、前記温風通路及び前記冷風通路の上流側に配置されそれぞれの通路への送風割合を調整するエアミックスダンパと、前記温風通路及び前記冷風通路の下流側において合流する合流部と、該合流部の下流側に形成され車室内の乗員の顔付近へ送風するベント通路と、前記ベント通路を開閉するベントダンパと、前記合流部の下流側に形成され前記乗員の足元付近へ連通するヒート通路と、前記ヒート通路を開閉するヒートダンパと、前記エアミックスダンパ、前記ベントダンパ及び前記ヒートダンパの開閉制御を行う制御部とを備える車両用空調装置において、
前記温風通路における前記加熱器の下流側と前記ヒート通路における前記ヒートダンパの下流側とを連通するバイパス通路と、
前記バイパス通路を開閉するバイパスダンパと、
を有し、
前記制御部は前記バイパスダンパを開閉制御し、前記冷風通路と前記温風通路の双方に前記空気を送風する位置に前記エアミックスダンパを制御し、且つ、前記ベントダンパを開くと共に前記ヒートダンパを閉じ、前記バイパスダンパを開いたバイレベルモードを有することを特徴とする車両用空調装置。
【請求項２】
請求項１記載の車両用空調装置において、
前記バイパスダンパは、前記加熱器の加熱面に向かって回動し、前記加熱面よりも下流側となる前記温風通路を分割することを特徴とする車両用空調装置。
【請求項３】
請求項１又は２記載の車両用空調装置において、
前記制御部は前記加熱器の出力を制御可能に設けられ、前記バイレベルモード時における前記出力は、前記ベント通路が閉塞され前記ヒート通路の開放されたヒートモード時の前記出力よりも小さくなるように制御されることを特徴とする車両用空調装置。
【請求項４】
請求項１〜３のいずれか１項に記載の車両用空調装置において、
前記加熱器は、電気ヒータであることを特徴とする車両用空調装置。
【請求項５】
請求項１〜３のいずれか１項に記載の車両用空調装置において、
前記加熱器は、ヒートポンプの室内コンデンサであることを特徴とする車両用空調装置。
【請求項６】
請求項３記載の車両用空調装置において、
前記加熱器は、電気ヒータ及びヒートポンプの室内コンデンサであり、前記制御部は前記バイレベルモード時において前記電気ヒータ又は前記室内コンデンサの出力を停止させることを特徴とする車両用空調装置。
【発明の詳細な説明】
【技術分野】
【０００１】
本発明は、車両に搭載され、熱交換器によって温度調整のなされた空気を車室内へと送風して車室内の温度調整を行う車両用空調装置に関する。
【背景技術】
【０００２】
従来から、車両に搭載される車両用空調装置は、例えば、特許文献１に開示されるように、送風機によって内外気切替装置を通じて空気を空調ケース内へと取り込み、冷却手段であるエバポレータにより冷却された冷風と、加熱手段であるヒータコアにより加熱した温風とをエアミックスダンパを駆動させることで所望の混合比率に混合した後、例えば、前記空調ケースに設けられた複数の送風口から車室内へと送風している。
【先行技術文献】
【特許文献】
【０００３】
【特許文献１】特開２０１４−２１３６７１号公報
【発明の概要】
【発明が解決しようとする課題】
【０００４】
上述した車両用空調装置において、例えば、車室内における乗員の顔付近と足元付近へ同時に送風を行うバイレベルモードが選択された場合には、それぞれの送風に温度差を付ける必要があり、しかも、温風はエバポレータを通過した冷風と混合させる必要があるため、ヒータコアは車室内へ送風する温度以上に温風を加熱する必要がある。
【０００５】
このような車両用空調装置は、内燃機関を有する車両に搭載される場合であれば、前記内燃機関の排熱を利用してヒータコアで加熱を行うことで上記構成でも問題は生じないが、特に、電気自動車や燃料電池車等の十分な排熱を利用できない車両においては、加熱手段として電気ヒータやヒートポンプ等を利用して空気を加熱するため、温風の温度を必要以上に上昇させることで電気消費（電費）や燃料消費（燃費）が悪化してしまうという問題がある。
【０００６】
本発明は、前記の課題を考慮してなされたものであり、バイレベルモード時において加熱器の負荷を高めることなく所望温度で温風を車室内へと送風することが可能な車両用空調装置を提供することを目的とする。
【課題を解決するための手段】
【０００７】
前記の目的を達成するために、本発明は、内部に空気の流通する通路を有した空調ケースと、空気を冷却する冷却器と、空気を加熱する加熱器と、冷却器の下流側に形成され加熱器の配置される温風通路と、冷却器の下流側に形成され加熱器を迂回する冷風通路と、温風通路及び冷風通路の上流側に配置されそれぞれの通路への送風割合を調整するエアミックスダンパと、温風通路及び冷風通路の下流側において合流する合流部と、合流部の下流側に形成され車室内の乗員の顔付近へ送風するベント通路と、ベント通路を開閉するベントダンパと、合流部の下流側に形成され乗員の足元付近へ連通するヒート通路と、ヒート通路を開閉するヒートダンパと、エアミックスダンパ、ベントダンパ及びヒートダンパの開閉制御を行う制御部とを備える車両用空調装置において、
温風通路における加熱器の下流側とヒート通路におけるヒートダンパの下流側とを連通するバイパス通路と、
バイパス通路を開閉するバイパスダンパと、
を有し、
制御部はバイパスダンパを開閉制御し、冷風通路と温風通路の双方に空気を送風する位置にエアミックスダンパを制御し、且つ、ベントダンパを開くと共にヒートダンパを閉じ、バイパスダンパを開いたバイレベルモードを有することを特徴とする。
【０００８】
本発明によれば、車両用空調装置を構成する空調ケースにおいて、加熱器の配置される温風通路と、温風を乗員の足元付近へと送風するヒート通路とを有し、温風通路における加熱器の下流側とヒート通路を開閉するヒートダンパの下流側とをバイパス通路で連通させると共に、バイパス通路をバイパスダンパによって開閉している。
【０００９】
そして、ベント通路へ冷風を送風し、ヒート通路に温風を送風するバイレベルモードにおいて、制御部の制御作用下にエアミックスダンパを冷風通路と温風通路の双方に空気を送風する位置に制御し、且つ、ベントダンパを開くと共にヒートダンパを閉じ、バイパスダンパを開いている。
【００１０】
従って、バイパスダンパを開放することで温風通路における加熱器の下流側とヒート通路とをバイパスするバイパス通路を通じて温風をヒート通路側へと供給することができると同時に、ヒートダンパを閉じることで冷風がヒート通路側へと流れることが阻止される。その結果、ヒート通路に温風のみを送風することができ、温風の温度が冷風によって下げられてしまうことがないため、加熱器の負荷を高めず、電気自動車や燃料電池車等の内燃機関の排熱を利用することができない車両において電力消費（電費）や燃料消費（燃費）を悪化させることなく、乗員の足元付近へ所望の温度で温風を送風することができる。これにより、乗員の顏付近への送風と足元付近への送風との温度差を拡大させることができる。
【００１１】
また、バイパスダンパは、加熱器の加熱面に向かって回動し、加熱面よりも下流側となる温風通路を分割することで、加熱器の下流側へと流れる温風をベント通路側とヒート通路側へと好適に分流させることができる。
【００１２】
さらに、制御部は加熱器の出力を制御可能に設けられ、バイレベルモード時における出力を、ベント通路が閉塞されヒート通路の開放されたヒートモード時の出力よりも小さくなるように制御するとよい。すなわち、バイレベルモードでは、ヒート通路を流れる温風に冷風が混合されることがないため温度を必要以上に高める必要がなく、電気自動車や燃料電池車等の内燃機関の排熱を利用することができない車両において電費や燃費を向上させることができる。
【００１３】
さらにまた、加熱器は、電気ヒータやヒートポンプの室内コンデンサであるとよい。
【００１４】
また、加熱器は、電気ヒータ及びヒートポンプの室内コンデンサであり、制御部はバイレベルモード時において電気ヒータ又は室内コンデンサの出力を停止させることで、電費や燃費を向上させることができる。
【発明の効果】
【００１５】
本発明によれば、以下の効果が得られる。
【００１６】
すなわち、車両用空調装置を構成する空調ケースにおいて、乗員の足元付近へ送風するヒート通路におけるヒートダンパの下流側と温風通路における加熱器の下流側とをバイパス通路で連通させると共に、バイパス通路をバイパスダンパによって開閉自在とし、ベント通路へ冷風を送風すると同時にヒート通路に温風を送風するバイレベルモードにおいて、制御部の制御作用下にエアミックスダンパを冷風通路及び温風通路に空気を送風する位置に制御し、且つ、ベントダンパを開くと共にヒートダンパを閉じ、バイパスダンパを開くことで、温風をバイパス通路を通じてヒート通路側へと供給すると同時に、ヒートダンパを閉じることで冷風がヒート通路側へと流れることが阻止される。その結果、ヒート通路に温風のみを送風することができ、冷風によって温風の温度が下げられてしまうことがないため、加熱器の負荷を高める必要がなく、それに伴って、内燃機関の排熱を利用することができない車両における電費や燃費の悪化を防止しつつ、乗員の足元付近へ所望の温度で温風を送風することができる。
【図面の簡単な説明】
【００１７】
【図１】本発明の実施の形態に係る車両用空調装置の全体断面図である。
【図２】コントローラと該コントローラによって制御される加熱ユニット及びダンパ機構との関係を示す制御ブロック図である。
【図３】図１の車両用空調装置においてバイレベルモードが選択された状態を示す全体断面図である。
【図４】図１の車両用空調装置においてヒートモードが選択された状態を示す全体断面図である。
【発明を実施するための形態】
【００１８】
本発明に係る車両用空調装置について好適な実施の形態を挙げ、添付の図面を参照しながら以下詳細に説明する。図１において、参照符号１０は、本発明の実施の形態に係る車両用空調装置を示す。なお、車両用空調装置１０は、図１に示される左側（矢印Ａ１方向）が車両の前方側、右側（矢印Ａ２方向）が該車両の後方側として説明する。
【００１９】
この車両用空調装置１０は、図１に示されるように、空気の各通路を構成する空調ケース１２と、前記空調ケース１２の内部に配設され前記空気を冷却するエバポレータ（冷却器）１４と、該空気を加熱する加熱ユニット（加熱器）１６と、前記各通路内を流通する空気の流れを切り換えるダンパ機構１８とを含む。
【００２０】
空調ケース１２は、例えば、樹脂製材料から箱状に形成され、その上方には、各通路と連通し乗員の顔付近へ送風するベント送風口（ベント通路）２０と、車両のフロントウィンドウへ送風を行うデフロスタ送風口２２とが開口している。また、空調ケース１２の車両後方側面には、車室内における乗員の足元付近へ送風するヒート通路２４が形成されている。
【００２１】
一方、空調ケース１２の内部には、車両前方側となる位置に鉛直方向に沿って立設するようにエバポレータ１４が設けられる。このエバポレータ１４の上流側となる車両前方側（矢印Ａ１方向）には、図示しない送風機ユニットと連通した供給通路２６が形成される。
【００２２】
また、エバポレータ１４の下流側には、空調ケース１２において下方となる位置に温風通路２８が形成され加熱ユニット１６が設けられると共に、前記温風通路２８の上方には、前記加熱ユニット１６を迂回する冷風通路３０が形成される。なお、この温風通路２８は、加熱ユニット１６の上流側となる上流側通路部３２ａと、前記加熱ユニット１６の下流側となる下流側通路部３２ｂから構成される。
【００２３】
エバポレータ１４は、例えば、略平行に設けられた一組のタンク１４ａ、１４ｂを有し、一方のタンクと他方のタンクとを繋ぐ複数のチューブに冷媒が循環することで、チューブの間を通過する空気と前記冷媒との熱交換がなされ下流側へと冷風が供給される。
【００２４】
加熱ユニット１６は、例えば、通電作用下に発熱する電気ヒータ３４と、該電気ヒータ３４の下流側に設けられる室内コンデンサ３６とからなり、前記電気ヒータ３４は、図２に示されるように、コントローラ（制御部）３７からの制御信号に基づいて発熱体が発熱し、通過する空気を所定温度に加熱して下流側へと供給する。なお、加熱ユニット１６に用いる電気ヒータ３４は、通過する空気を直接加熱する直接加熱式でもよいし、電気ヒータで加熱した液媒体を熱交換器の内部へ流すことで該熱交換器を通過する空気を加熱可能な間接加熱式でもよい。
【００２５】
室内コンデンサ３６は、例えば、図示しない圧縮機で高圧に圧縮された冷媒が供給され、その内部において凝縮熱を放出することで電気ヒータ３４を通過してきた空気をさらに加熱して下流側へと供給する。
【００２６】
そして、電気ヒータ３４及び室内コンデンサ３６を通過することで加熱された空気が、温風として温風通路２８の下流側通路部３２ｂへと流れる。なお、加熱ユニット１６は、上述した電気ヒータ３４及び室内コンデンサ３６から構成される場合に限定されるものではなく、いずれか一方のみで構成するようにしてもよいし、内燃機関の冷却水を循環させることで空気を加熱するヒータコアを用いるようにしてもよい。
【００２７】
また、加熱ユニット１６の下流側には、冷風通路３０と温風通路２８の下流側通路部３２ｂとの合流部３８に臨み、ベント送風口２０の下方となる位置にヒート開口部４０が形成される。このヒート開口部４０は、温風通路２８の下流側通路部３２ｂとヒート通路２４とを分ける壁部４２に開口し、該ヒート通路２４と連通するように形成される。そして、ヒート通路２４は、下方に向かって延在し車室内における乗員の足元付近と連通している。
【００２８】
ダンパ機構１８は、エバポレータ１４と加熱ユニット１６との間となる温風通路２８の上流側通路部３２ａに設けられる第１エアミックスダンパ４４と、該第１エアミックスダンパ４４の上方となる冷風通路３０に設けられる第２エアミックスダンパ４６と、ベント送風口２０とデフロスタ送風口２２の開閉状態を切り換えるベントダンパ４８と、前記デフロスタ送風口２２を開閉するデフロスタダンパ４９と、ヒート通路２４の連通状態を切り換えるヒートダンパ５０と、前記温風通路２８の下流側通路部３２ｂと前記ヒート通路２４とをバイパスするバイパスダンパ５２とを含む。
【００２９】
そして、第１エアミックスダンパ４４、第２エアミックスダンパ４６、ベントダンパ４８、ヒートダンパ５０及びバイパスダンパ５２は、図２に示されるように、コントローラ３７から図示しないアクチュエータへと出力された制御信号に基づいてそれぞれ所定角度だけ回動する。
【００３０】
第１エアミックスダンパ４４は、回転軸５４を中心として一組のドア部５６が互いに離間する方向へと延在したバタフライ構造であり、図示しないアクチュエータの駆動作用下に回転軸５４を支点として回動することで、エバポレータ１４を通過した冷風の加熱ユニット１６側への送風量（送風割合）が調整される。
【００３１】
第２エアミックスダンパ４６は、第１エアミックスダンパ４４と同様に、バタフライ構造からなり、図示しないアクチュエータの駆動作用下に回動することで冷風通路３０における冷風の送風量（送風割合）が調整される。
【００３２】
ベントダンパ４８は、ベント送風口２０とデフロスタ送風口２２との間に軸部５８の支持された片持ち構造であり、図示しないアクチュエータの駆動作用下に前記軸部５８を支点として回動し、ベント送風口２０及びデフロスタ送風口２２のいずれか一方を閉塞し、他方を開放する。
【００３３】
ヒートダンパ５０は、ベントダンパ４８と同様に片持ち構造からなり、ヒート開口部４０に臨む位置に軸部６０が軸支され下方にドア部６２が設けられるように配置される。そして、図示しないアクチュエータの駆動作用下にドア部６２がヒート通路２４側に回動することでヒート開口部４０が開放された状態となり（図４参照）、一方、前記ドア部６２が壁部４２に当接することで前記ヒート開口部４０が閉塞される（図１参照）。
【００３４】
バイパスダンパ５２は、ベントダンパ４８と同様に片持ち構造からなり、ヒート開口部４０より下方に開口したバイパス開口部（バイパス通路）６４に臨むように設けられ、軸部６６が上方でドア部６８が下方となるように配置される。換言すれば、バイパスダンパ５２は、室内コンデンサ３６の高さ方向に沿った上端部近傍に臨むように設けられる。
【００３５】
そして、図示しないアクチュエータの駆動作用下にバイパスダンパ５２のドア部６８が温風通路２８側（矢印Ａ１方向）へ回動することでバイパス開口部６４が開放され、温風通路２８の下流側通路部３２ｂが上下に分割された状態となり（図３参照）、一方、前記ドア部６８が壁部４２に当接することで前記バイパス開口部６４が閉塞される（図１参照）。
【００３６】
本発明の実施の形態に係る車両用空調装置１０は、基本的には以上のように構成されるものであり、次にその動作並びに作用効果について説明する。
【００３７】
先ず、車室内の乗員の顏付近へ冷風を送風するベントモードが選択された場合について図１を参照しながら説明する。
【００３８】
最初に、車両用空調装置１０が始動されると、図示しない送風機によって吸い込まれた空気が空調ケース１２の供給通路２６へと供給され、エバポレータ１４を通過することで冷却される。このベントモードでは、図示しないアクチュエータの駆動作用下に第１エアミックスダンパ４４が全閉状態となり、第２エアミックスダンパ４６が所定角度だけ回動した全開状態となると共に、ベントダンパ４８によってデフロスタ送風口２２が閉塞され、ヒートダンパ５０及びバイパスダンパ５２によってヒート開口部４０及びバイパス開口部６４がそれぞれ閉塞された全閉状態となる。
【００３９】
これにより、エバポレータ１４を通過することで冷却された冷風は、冷風通路３０を通ることで加熱ユニット１６を迂回して開口したベント送風口２０から車室内における乗員の顏付近へと送風される。
【００４０】
次に、車室内における乗員の顔及び足元付近に送風を行うバイレベルモードが選択された場合について図３を参照しながら説明する。
【００４１】
このバイレベルモードでは、図３に示されるように、図示しないアクチュエータの駆動作用下に第１エアミックスダンパ４４が全閉状態から回動して開くことで温風通路２８が連通し、第２エアミックスダンパ４６も開放状態となる。一方、ベントダンパ４８によってベント送風口２０が開放され、バイパスダンパ５２を回動させることでバイパス開口部６４を開放させる。一方、ヒート開口部４０はヒートダンパ５０によって閉塞されている。
【００４２】
そして、エバポレータ１４を通過して冷却された冷風の一部が冷風通路３０へと流れ、残りの冷風が温風通路２８の上流側通路部３２ａを通じて加熱ユニット１６を通過することで加熱され温風となる。この温風は、室内コンデンサ３６を通過した後、下流側通路部３２ｂにおいて前記室内コンデンサ３６側に回動しているバイパスダンパ５２によって分割され、その一部が前記バイパスダンパ５２の上方へと流れることで冷風と混合されてベント送風口２０から車室内へと送風される。
【００４３】
この際、ヒート開口部４０はヒートダンパ５０によって閉塞されているため、冷風通路３０を流れる冷風がヒート通路２４側へと流れることがない。
【００４４】
一方、残りの温風は、下流側通路部３２ｂにおいてバイパスダンパ５２の下方側へと流れることで、開口したバイパス開口部６４を通じてヒート通路２４へと流れ、車室内における乗員の足元付近へと送風される。この際、バイパスダンパ５２が、バイパス開口部６４に向かって斜め方向に傾斜するように配置されるため温風が前記バイパス開口部６４に向かって好適に案内される。
【００４５】
換言すれば、バイパスダンパ５２は、バイパス開口部６４を開閉する開閉手段であると同時に、下流側通路部３２ｂを分割して温風を上下方向に分流させる分流手段も兼ね備えている。
【００４６】
これにより、バイレベルモードにおいて、バイパスダンパ５２を回動させ温風通路２８の下流側通路部３２ｂを上下に分割することで、ヒート通路２４に対して温風のみを送風し、ベント送風口２０には温風と混合された冷風を送風することで、前記ヒート通路２４における温風の温度が冷風と混合され低下してしまうことが回避される。そのため、ベント送風口２０から乗員の顔付近に送風される冷風と、ヒート通路２４から前記乗員の足元付近に送風される温風の温度差を大きくし、車室内の快適性を高めることができる。
【００４７】
最後に、車室内における乗員の足元付近へ送風を行うヒートモードが選択された場合について図４を参照しながら説明する。
【００４８】
このヒートモードでは、図４に示されるように、図示しないアクチュエータの駆動作用下に第１エアミックスダンパ４４を全閉状態から回動させることで全開状態として温風通路２８を連通させ、第２エアミックスダンパ４６を回動させることで温風通路２８と冷風通路３０との連通を遮断した全閉状態とする。一方、ベントダンパ４８の切替作用下にベント送風口２０を閉塞し、ヒートダンパ５０及びバイパスダンパ５２を回動させそれぞれヒート開口部４０及びバイパス開口部６４を開放させる。
【００４９】
また、デフロスタダンパ４９はデフロスタ送風口２２を閉塞した全閉状態にある。
【００５０】
これにより、エバポレータ１４を通過した冷風が、冷風通路３０へ流れずに温風通路２８のみへ流れることで加熱ユニット１６で加熱された温風となり、この温風が温風通路２８の下流側通路部３２ｂからヒート開口部４０及びバイパス開口部６４を通じてヒート通路２４へとそれぞれ流通し、それに伴って、車室内における乗員の足元付近へ温風が送風される。
【００５１】
以上のように、本実施の形態では、空調ケース１２において、加熱ユニット１６の下流側の温風通路２８（下流側通路部３２ｂ）とヒート通路２４とをバイパスするバイパス開口部６４を形成すると共に、前記バイパス開口部６４の連通状態を切り換えるバイパスダンパ５２を設け、乗員の顏付近に冷風を、足元付近に温風を送風するバイレベルモードにおいて、前記バイパスダンパ５２を開放することで前記バイパス開口部６４を通じて温風通路２８の下流側通路部３２ｂとヒート通路２４とを連通させると同時に、ヒートダンパ５０を閉じることで、冷風がヒート通路２４側へと流れることを阻止し、該ヒート通路２４に温風だけを送風することができる。
【００５２】
そのため、ヒート通路２４へ流れる温風の温度が冷風によって下げられてしまうことなく、ベント送風口２０から乗員の顏付近へ冷風を供給すると同時に、前記乗員の足元付近へは温風を所望の温度で供給することが可能となり、冷風と温風との温度差を好適に拡大させることで乗員の快適性を高めることができる。
【００５３】
その結果、温風が冷風によって不必要に冷やされてしまうことなく、加熱ユニット１６の出力を高める必要がないため、例えば、電気自動車や燃料電池車等の内燃機関の排熱を利用することができない車両においても電力消費（電費）や燃料消費（燃費）の悪化を回避することができる。
【００５４】
また、バイレベルモードにおいて、バイパスダンパ５２を開いて温風通路２８側へと回動させることで、加熱ユニット１６の下流側となる下流側通路部３２ｂを仕切って分割することができるため、前記加熱ユニット１６を通過した温風をベント送風口２０側とヒート通路２４側へと好適に分流させることが可能となる。
【００５５】
さらに、バイレベルモードではヒート通路２４を流れる温風に冷風が混合されず、前記温風の温度を必要以上に高める必要がないことから、乗員の足元付近のみへ送風を行うヒートモードにおける加熱ユニット１６の出力と比較してバイレベルモードでの出力を小さくすることが可能となる。その結果、電気自動車や燃料電池車等の内燃機関の排熱を利用することができない車両における電費や燃費を向上させることができる。この加熱ユニット１６の出力を小さくする方法としては、例えば、電気ヒータ３４又は室内コンデンサ３６のいずれか一方の電源をオフとし他方のみを作動させたり、加熱ユニット１６を電気ヒータ３４又は室内コンデンサ３６のいずれか一方のみで構成する場合にはその出力を弱めることで可能となる。
【００５６】
さらにまた、例えば、加熱ユニット１６を電気ヒータ３４や室内コンデンサ３６等の複数から構成することで、バイレベルモードにおいてどちらか一方を停止することで電費や燃費をさらに向上させることができる。
【００５７】
なお、本発明に係る車両用空調装置は、上述の実施の形態に限らず、本発明の要旨を逸脱することなく、種々の構成を採り得ることはもちろんである。
【符号の説明】
【００５８】
１０…車両用空調装置                １２…空調ケース
１４…エバポレータ                  １６…加熱ユニット
１８…ダンパ機構                    ２０…ベント送風口
２２…デフロスタ送風口              ２４…ヒート通路
２８…温風通路                      ３０…冷風通路
３２ｂ…下流側通路部                ３４…電気ヒータ
３６…室内コンデンサ                ４０…ヒート開口部
４４…第１エアミックスダンパ        ４６…第２エアミックスダンパ
４８…ベントダンパ                  ５０…ヒートダンパ
５２…バイパスダンパ                ６４…バイパス開口部
【図１】
0006560636.tif 000002
【図２】
0006560636.tif 000003
【図３】
0006560636.tif 000004
【図４】
0006560636.tif 000005